(57)【要約】【課題】平板状の被梱包物を多数収容することができ、被梱包物数が収容部の数より少ない場合には、その被梱包物数に対応した大きさに梱包することができる梱包用緩衝材の提供。【解決手段】互いに平行に配置した前後の端部板１と、その両側縁部に端部が固定された左右の側板２と、その側板間２に固定された端部板と平行配置の仕切板３と、仕切板３の底辺部間に跨らせてこれに固定された底板４とを有し、仕切板間と底板によって囲まれる上方開口の空間を物品収容部５とし、両側板２及び底板４は、蛇腹状板材をもって構成し、その蛇腹状板材の蛇腹の伸縮によって各仕切板３間が接近離反方向に移動可能とする。【選択図】図１
2016150779.tif 000002
【特許請求の範囲】
【請求項１】
互いに平行に配置した前後の端部板と、両端部板の両側縁部に端部が固定された左右の側板と、該左右の側板間に固定された前記端部板と平行配置の仕切板と、該仕切板の底辺部間に跨らせて該仕切板に固定された底板とを有し、前記仕切板間と底板によって囲まれる上方開口の空間を物品収容部とした梱包用緩衝材であって、
前記両側板は、蛇腹状を構成する折り目を上下に向けた蛇腹状板材をもって構成し、該蛇腹状板材の蛇腹の伸縮によって前記各仕切板間が接近離反方向に移動可能とし、
前記底板は、互いに隣り合う仕切板間の長さを、該仕切板間の間隔が前記両側板の蛇腹の伸縮によって変動可能な長さとした梱包用緩衝材。
【請求項２】
前記左右の側板に対する仕切板の固定は、仕切板の側縁部を側板の蛇腹状を構成する谷折り部の奥部まで挿入し、該仕切板の両面に谷折り部の対向面を重ねて、を固着することによってなされている請求項１に記載の梱包用緩衝材。
【請求項３】
前記各仕切板と底板との固定は、仕切板の下縁部を底板の蛇腹状を構成する谷折り部の奥部まで挿入し、該仕切板の両面に谷折り部の対向面を重ねて、固着することによってなされている請求項１又は２に記載の梱包用緩衝材。
【請求項４】
前記側板は、上下方向の長さを前記仕切板より長く形成され、その下端が前記仕切板より所定の長さだけ下側に延長された配置とした請求項１〜３の何れか１に記載の梱包用緩衝材。
【請求項５】
前記側板及び底板は、ポリプロピレン繊維を層状にし，加熱溶着によって結合させた硬質合成樹薄板材をもって構成されている請求項１〜４の何れか１に記載の梱包用緩衝材。
【請求項６】
前記両端部板の外側に、該端部板に対して上下方向にのみ移動可能に重ね合せ、該両端部板の下端より下側に延長させた端部支持板を備え、
該各端部支持板の上端と、そのそれぞれと隣接する前記各端部板の下端との間に弾性伸縮する帯状の弾性吊材を介在させた１〜５の何れか１に記載の梱包用緩衝材。
【請求項７】
前記前後の端部板の下端側を前記仕切板の下端より低く配置し、
前記側板は、上下方向の長さを前記仕切板より長くし、その下端が前記側板より所定の長さだけ下側に延長された配置とし、
前記両端部板を端部外装板とし、その両下端間に連続させた底部外装板と、一方の端部板の上端に両端部板の上端間に跨らせる配置の上部外装板を直角配置に折り曲げ可能に一体に形成し、
該上部外装板の先端に他方の端部板の上縁からその外側に沿わせる止め片部を直角に折り曲げ可能に備えた請求項１〜５の何れか１に記載の梱包用緩衝材を用いた梱包箱。
【請求項８】
前記両端部支持板の下端間に互いに折り曲げ可能な底板を一体に備え、
両端部支持板の上端間を開閉する上部開閉蓋板を備え、前記両端部支持板、前記底板及び上部開閉蓋板を外装材とした請求項６に記載の梱包用緩衝材を用いた梱包箱。
【発明の詳細な説明】
【技術分野】
【０００１】
本発明は、ノート型コンピュータ、タブレット型コンピュータやディスプレー等の主として平板状をした電子機器類の搬送に使用する梱包用緩衝材及び該梱包用緩衝材を用いた梱包箱に関する。
【背景技術】
【０００２】
従来、この種の梱包用緩衝材としては、段ボール箱等の梱包用外箱内に、被梱包物の形状に合わせた収容部を窪み状に形成した上下の緩衝材を収容し、その収容部に被梱包物を収納して外箱内に入れるようにしたもの（例えば特許文献１）がある。
【０００３】
また、シートをＵ字型にして両端を水平配置の互いに平行な支持材に固定した多数の吊り型の収容部を、箱状の枠材内に形成し、各収容部に被梱包物を収容することで、宙吊り状態で枠材内に保持させるようにしたもの（例えば特許文献２）が知られている。
【先行技術文献】
【特許文献】
【０００４】
【特許文献１】特開２００５−１０４４９２号公報
【特許文献２】特開２００８−８７８０５号公報
【発明の概要】
【発明が解決しようとする課題】
【０００５】
上述した特許文献１に記載されているような形式の梱包用緩衝材は、被梱包物の形状に合わせた専用の収容部を有する緩衝材を使用する必要があり、各種形状のものを複数収容することができず、用途が限定されたものであった。
【０００６】
また、引用文献２に記載されている梱包用緩衝材は、多数の収容部があり、収容部に入る大きさのものであれば、形状や大きさに違いのある被梱包物であっても同梱包が可能であるが、収容部が互いに平行な支持材の間隔に限定され、この支持材間が固定され状態であるため、収容部の数に応じて全体の大きさが決定され、収容部数より少ない数の被梱包物を梱包したとしても、大きさが変わらず、一定の容積を占め、保管や運搬時に不経済となるという問題がある。
【０００７】
本発明は、このような従来の問題に鑑み、タブレット型コンピュータのような平板状の被梱包物を多数収容することができ、被梱包物数が収容部の数より少ない場合には、その被梱包物数に対応した大きさに梱包することができ、保管部や運搬手段の容積を効率よく使用できる梱包用緩衝材及び該梱包用緩衝材を用いた梱包箱の提供を目的としてなされたものである。
【課題を解決するための手段】
【０００８】
上述した従来の問題を解決するため請求項１の発明は、互いに平行に配置した前後の端部板と、両端部板の両側縁部に端部が固定された左右の側板と、該左右の側板間に固定された前記端部板と平行配置の仕切板と、該仕切板の底辺部間に跨らせて該仕切板に固定された底板とを有し、前記仕切板間と底板によって囲まれる上方開口の空間を物品収容部とした梱包用緩衝材であって、前記両側板は、蛇腹状を構成する折り目を上下に向けた蛇腹状板材をもって構成し、該蛇腹状板材の蛇腹の伸縮によって前記各仕切板間が接近離反方向に移動可能とし、前記底板は、互いに隣り合う仕切板間の長さを、該仕切板間の間隔が前記両側板の蛇腹の伸縮によって変動可能な長さとした梱包用緩衝材を特徴とする。
【０００９】
請求項２の発明は、請求項１の構成に加え、左右の側板に対する仕切板の固定は、仕切板の側縁部を側板の蛇腹状を構成する谷折り部の奥部まで挿入し、該仕切板の両面に谷折り部の対向面を重ねて、を固着することによってなされていることを特徴とする。
【００１０】
請求項３の発明は、請求項１又は２何れか１の構成に加え、前記各仕切板と底板との固定は、仕切板の下縁部を底板の蛇腹状を構成する谷折り部の奥部まで挿入し、該仕切板の両面に谷折り部の対向面を重ねて、固着することによってなされていることを特徴とする。
【００１１】
請求項４の発明は、請求項１〜３の何れか１の構成に加え、前記側板は、上下方向の長さを前記仕切板より長く形成され、その下端が前記仕切板より所定の長さだけ下側に延長された配置としたことを特徴とする。
【００１２】
請求項５の発明は、請求項１〜４の何れか１の構成に加え、前記側板及び底板は、ポリプロピレン繊維を層状にし，加熱溶着によって結合させた硬質合成樹薄板材をもって構成されていることを特徴とする。
【００１３】
請求項６の発明は、請求項１〜６の何れか１の構成に加え、前記両端部板の外側に、該端部板に対して上下方向にのみ移動可能に重ね合せ、該両端部板の下端より下側に延長させた端部支持板を備え、該各端部支持板の上端と、そのそれぞれと隣接する前記各端部板の下端との間に弾性伸縮する帯状の弾性吊材を介在させたことを特徴とする。
【００１４】
請求項７の発明は、請求項１〜５の何れか１の構成に加え、前記前後の端部板の下端側を前記仕切板の下端より低く配置し、前記側板は、上下方向の長さを前記仕切板より長くし、その下端が前記側板より所定の長さだけ下側に延長された配置とし、前記両端部板を端部外装板とし、その両下端間に連続させた底部外装板と、一方の端部板の上端に両端部板の上端間に跨らせる配置の上部外装板を直角配置に折り曲げ可能に一体に形成し、該上部外装板の先端に他方の端部板の上縁からその外側に沿わせる止め片部を直角に折り曲げ可能に備えたことを特徴とする。
【００１５】
請求項８の発明は、請求項６の構成に加え、前記両端部支持板の下端間に互いに折り曲げ可能な底板を一体に備え、両端部支持板の上端間を開閉する上部開閉蓋板を備え、前記両端部支持板、前記底板及び上部開閉蓋板を外装材としたことを特徴とする。
【発明の効果】
【００１６】
本発明に係る梱包用緩衝材は、請求項１のように、互いに平行に配置した前後の端部板と、両端部板の両側縁部に端部が固定された左右の側板と、該左右の側板間に固定された前記端部板と平行配置の仕切板と、該仕切板の底辺部間に跨らせて該仕切板に固定された底板とを有し、前記仕切板間と底板によって囲まれる上方開口の空間を物品収容部とした梱包用緩衝材であって、前記両側板は、蛇腹状を構成する折り目を上下に向けた蛇腹状板材をもって構成し、該蛇腹状板材の蛇腹の伸縮によって前記各仕切板間が接近離反方向に移動可能とし、前記底板は、互いに隣り合う仕切板間の長さを、該仕切板間の間隔が前記両側板の蛇腹の伸縮によって変動可能な長さとしたことにより、タブレット型コンピュータのような平板状の被梱包物を多数収容することができ、被梱包物数が収容部の数より少ない場合には、被梱包物の入っていない収容部は側板及び底板の蛇腹状を縮め、仕切板間を狭めることができ、被梱包物数に対応した大きさに梱包することができる。
【００１７】
また、被梱包物の収容時には、両端部板の上端間が、側板上縁部の蛇腹状の伸び限界まで開くこととなり、仕切板間の物品収容部の開口部が大きく開き、梱包物の出し入れが容易となる。
【００１８】
更に、不使用時には、両側板と底板の折り畳成形時の折り癖によってそれぞれの蛇腹状が縮められ、端部板間が狭められた状態となるため保管のための容積を少なくできる。
【００１９】
更に、被梱包物を収容して外装容器に収容した状態では、被梱包物に対する両側部からの衝撃は、側板の蛇腹状の弾性によって吸収され、また前後方向の衝撃は、端部板及び仕切板の弾性によって吸収され、精密機器などの被梱包物を安全に運搬することができる。
【００２０】
本発明は、請求項２及び３のように、左右の側板及び底板に対する仕切板の固定は、仕切板の側縁部を側板の蛇腹状を構成する谷折り部の奥部まで挿入し、該奥部にて該仕切板の両面に谷折り部の奥部の対向面を重ねて固着することによってなされていることにより、仕切板と側板及び底板の固着が容易である。
【００２１】
更に、被梱包物に対しては、トラック輸送時における車輪からの振動や積み上げ、積み降ろし時における振動等、主として外装容器の底面に対する上向き衝撃による下向きの荷重が大きく作用するが、この時の被梱包物に作用する下向きの荷重は、底板の蛇腹状、特に端部板と仕切板間及び仕切板相互間に介在する蛇腹状の谷折り部の弾性によって吸収されることとなる。
【００２２】
本発明は、請求項４のように、前記側板は、上下方向の長さを前記仕切板より長く形成され、その下端が前記仕切板より所定の長さだけ下側に延長された配置としたことにより、物品収容部の底板の下に、衝撃緩衝用の空間が形成され、上下方向の振動が効果的に吸収されるとともに、更に大きな下向き荷重が作用した場合には、底板より下側に伸びている蛇腹状の側板の縦向きの弾性が作用し、これによって瞬間的に大きな振動が吸収される。
【００２３】
本発明は、請求項５のように、前記側板及び底板は、ポリプロピレン繊維を層状にし，加熱溶着によって結合させた硬質合成樹薄板材をもって構成されていることにより、蛇腹状の折り癖を半永久的に持続させることができ、耐久性に富むものとなる。
【００２４】
本発明は請求項６のように、両端部板の外側に、該端部板に対して上下方向にのみ移動可能に重ね合せ、該端部板より上下の長さが長い端部支持板を備え、該端部支持板の下端を前記両端部板の下端より下側に延長させた状態とし、該各端部支持板の上端と、そのそれぞれと隣接する前記各端部板の下端との間に弾性伸縮する帯状の弾性吊材を介在させたことにより、前述した振動吸収作用に加えて、弾性吊材の弾性伸縮による振動吸収作用が働くこととなり、被梱包物対する耐衝撃性が高いものとなる。
【００２５】
本発明は、請求項７のように、前後の端部板の下端側を前記仕切板の下端より低く配置し、前記側板は、上下方向の長さを前記仕切板より長くし、その下端が前記側板より所定の長さだけ下側に延長された配置とし、前記両端部板を端部外装板とし、その両下端間に連続させた底部外装板と、一方の端部板の上端に両端部板の上端間に跨らせる配置の上部外装板を直角配置に折り曲げ可能に一体に形成し、該上部外装板の先端に他方の端部板の上縁からその外側に沿わせる止め片部を直角に折り曲げ可能に備えて梱包箱を構成することにより、耐衝撃性が大きく、持ち運び保管に便利な梱包箱を廉価で製造できる。
【００２６】
本発明は、請求項８のように、請求項６に記載の梱包用緩衝材を用い、両端部支持板の下端間に互いに折り曲げ可能な底板を一体に備え、両端部支持板の上端間を開閉する上部開閉蓋板を備え、前記両端部支持板、前記底板及び上部開閉蓋板を外装材とした梱包箱を構成することにより、前述より更に耐衝撃性が大きく、持ち運び保管に便利な梱包箱を廉価で製造できる。
【図面の簡単な説明】
【００２７】
【図１】本発明の梱包用緩衝材の第一実施を示す平面図である。
【図２】図１中のＡ−Ａ線断面図である。
【図３】図１に示す梱包用緩衝材の分解斜視図である。
【図４】図１に示す梱包用緩衝材の端部板と仕切板に対する側板底板との結合方法を説明するための説明図である。
【図５】図１に示す梱包用緩衝材を外箱に収容して使用した状態の縦断面図である。
【図６】本発明の梱包箱の第一実施を示す斜視図である。
【図７】同上の縦断面図である。
【図８】同上の外装板の展開図である。
【図９】本発明の梱包用緩衝材の第二実施例を示す平面図である。
【図１０】図９中のＢ−Ｂ線断面図である。
【図１１】本発明の梱包箱の第二実施例の縦断面図である。
【発明を実施するための形態】
【００２８】
次に、本発明に係る梱包用緩衝材の実施の形態を図に示した実施例に基づいて説明する。
【００２９】
本発明に係る梱包用緩衝材の第一実施例を図面について説明する。この例は図１〜図４に示した梱包用緩衝材Ａを、図５に示した外装容器Ｂ内に収容した形態で、タブレット型コンピュータやノート型コンピュータ等の板状をした被梱包物Ｃの梱包に使用する場合を示している。
【００３０】
梱包用緩衝材Ａは、互いに平行に配置した前後の端部板１，１と、両端部板１，１の両側縁部に端部が固定された左右の側板２，２と、該左右の側板２，２間に固定された端部板１，１と平行配置の仕切板３，３......と、該仕切板の底辺部間に跨らせて各仕切板３，３......に固定された底板４とを有している。
【００３１】
そして端部板１とこれと隣り合う仕切板３との間及び、互いに隣り合う仕切板３，３間と、底板４によって囲まれる上方開口の空間を物品収容部５，５......としている。
【００３２】
両端部板１，１は、方形をしており、ポリプロピレン製の合成樹脂段ボール板をもって形成され、それ自体に板厚方向の外力に対してクッション性（衝撃吸収性）を有している。
【００３３】
各仕切板３は方形の板状をしており、ポリプロピレン繊維を層状に重ね、各繊維間の接触部分を各種の結合方法、例えば過熱による溶着、接着剤による接着によって薄板上に成形した弾性を有する不織繊維板材をもって形成されている。厚さ方向の外力に対してはクッション性を有するとともに曲げ弾性及び保形性を有している。
【００３４】
仕切板３は、端部板１と同幅で、上下方向の長さが端部板１より短く形成されており、両者の上端を同高さにして側板２，２及び底板４により互いに連結されている。
【００３５】
各側板２は、山折りと谷折りを交互に形成した蛇腹状板材を持って構成され、蛇腹状を構成する折り目を上下に向け端部板１，１及び仕切板３と互いに固定されている。（以下、側板の「谷折り」及び「山折り」は、両側板の互いの向き合い側面から見たものを意味するものとする。）
【００３６】
側板２は、その下端が端部板１，１の下端と同高さとなるようにその両端が端部板１，１に対して固定されている。この側板２は、ポリプロピレン繊維を層状にし，加熱溶着によって結合させた硬質合成樹薄板材をもって構成され、山谷の両折り部を加熱によって永久的な弾性的折り癖を付与したものを使用している。
【００３７】
各仕切板３，３......は、幅方向の長さを両端部板１，１とほぼ同じ長さに、上下方向の長さが両端部板１，１より所定長さｈだけ短く形成されており、上端を両側板２，２......の上端と同高さに配置し、両縁が両側板２，２に固定されている。
【００３８】
両側板２，２の両端は、各端部板１，１に固定されている。この固定は、図４に示したように側板両端の１番目の山折り部６の頂部ａより端部側の面、即ち山折り部の頂部ａを境にした片側面全面を固着代８として各端部板１，１に接着によって固定している。尚、接着による固定の他、熱溶着であってもよく、金属製の閉じ針によるもの、糸を使用した縫い付けによるのであってもよい。
【００３９】
このように両端部板１，１と、両側板２，２及び各仕切板３，３......を配置することにより、各仕切板３，３......は、その下端下に、高さｈの緩衝用空間が形成されたものとなっている。
【００４０】
各仕切板３と側板２とは、谷折り部７の奥部まで側板２の側縁部を挿入し、該奥部にて仕切板３の両面に谷折り部７の対向面全面を固着代８として固着することによって結合されている。この固着は、前述と同様に、接着の他、熱溶着、金属製の閉じ針によるもの、糸を使用した縫い付けによるのであってもよい。
【００４１】
このように側板の谷折り部７の最奥部まで仕切板３を挿入し、谷折り部７の対向面全面を固着代８とすることによって、仕切板３，３間に被梱包物Ｃが挿入された状態のとき、谷折り部７の最奥部が仕切板３の側縁より外側に膨らむことがなく、被梱包材Ｃが、側板より外側に出ない状態が維持される。
【００４２】
各仕切板３，３......は、１つおきの谷折り部７内に挿入されており、隣り合う仕切板３，３間には、１つの谷折り部７とその両側の２つの山折り部６が存在する配置にとしている。
【００４３】
底板４は、側板２と同材料による蛇腹状板材を持って構成され、蛇腹状を構成する折り目を水平に向け端部板１，１及び仕切板３に対して固定されている。
【００４４】
底板４と端部板１，１との結合は、図４に示したように、側板２と同様に底板４の両端の山折り部６の頂部ａより端部側の面、即ち山折り部の頂部ａを境にした片側面全面を固着代８としている（以下、底板の「谷折り」及び「山折り」は、底板の上面側から見たものを意味するものとする）。この固着は、前述した側板２，２の固着と同様に、接着の他、熱溶着、金属製の閉じ針によるもの、糸を使用した縫い付けによるのであってもよい。
【００４５】
このように端部板１と側板２とを固着することにより、前述した仕切板３，３間と同様に、端部板１と仕切板３との間に被梱包物Ｃが挿入された状態のとき、谷折り部の最奥部が仕切板３及び端部板１の側縁より外側に膨らむことがなく、被梱包材Ｃが、側板より外側に出ない状態が維持される。
【００４６】
底板４と仕切板３との結合は、仕切板３の下縁を、底板４の１つ置きの谷折り部７内に挿入し、該仕切板３の下端部を谷折り部７の奥部に挿入し、該谷折り部の対向面全面を固着代８とし、この固着代８，８間に挟み込んで固着している。尚、この固着は前述と同様に、接着の他、熱溶着、金属製の閉じ針によるもの、糸を使用した縫い付けによるのであってもよい。
【００４７】
このように仕切板３と底板４とを固着することとにより、前述した側板２と同様に、仕切板３，３間に被梱包物Ｃが挿入された状態のとき、谷折り部の最奥部が仕切板３及び端部板１の下縁より下側に膨らむことがなく、被梱包材Ｃが、側板より下側に出ない状態が維持される。
【００４８】
このようにして、隣り合う仕切板３，３間及び仕切板３と端部板１との間には、１つの谷折り部７その両側の２つの山折り部６，６が存在する構造としている。また、底板４下には高さがほぼｈの底板下緩衝空間１５を形成している。
【００４９】
このように構成される梱包用緩衝材Ａは、図には示してないが、不使用時には、両側板２，２と底板４の折り畳成形時の折り癖によってそれぞれの蛇腹状が縮められ、端部板１，１間が狭められた状態となる。このため不使用時の保管のための容積を少なくできる。
【００５０】
この梱包用緩衝材Ａを例えば図５に示すように段ボール箱などの外装容器Ｂ内に収容し、その底板２０上に端部板１，１と側板２，２の下端を当接させて収容し、梱包用緩衝材Ａの上に適宜のクッション材Ｄを詰めて外装容器Ｂの上側開口部を蓋２１によって閉じて梱包する。
【００５１】
このようにして被梱包物Ｃを収容して外装容器Ｂに入れ、梱包することにより、被梱包物Ｃに対する両側部からの衝撃は、側板２，２の蛇腹状の弾性によって吸収され、また前後方向の衝撃は、端部板１，１及び仕切板３，３......の弾性によって吸収される。
【００５２】
また、被梱包物Ｃに対しては、トラック輸送時における車輪からの振動や積み上げ、積み降ろし時における振動等、主として外装容器Ｂの底面に対する上向き衝撃による下向きの荷重が大きく作用するが、この時の被梱包物Ｃに作用する下向きの荷重は、底板４の蛇腹状、特に端部板１と仕切板３間及び仕切板３，３間に介在する蛇腹状の山折り部６及び谷折り部７の弾性によって吸収される。
【００５３】
また、更に大きな下向き荷重が作用した場合には、被梱包物Ｃの下側の底板下には底板下空間１５があることによって、底板４より下側に伸びている蛇腹状の側板２，２の縦向きの弾性が作用し、これによって瞬間的に大きな振動が吸収される。
【００５４】
次に上記梱包用緩衝材Ａを使用した梱包箱の第一実施例を図６〜図８について説明する。この梱包箱は、全体をプラスチック段ボール板の如き衝撃吸収性を有する板材をもって形成した耐衝撃性外装板２５と一体化させている。
【００５５】
この例では、両端部板１，１を外装容器２５の端部外装板とし、その両下端間に連続させて底部外装板２６を一体に備え、一方の端部板１の上端に両端部板１，１の上端間に跨らせる配置の上部外装板２７を直角配置に折り曲げ可能に一体に形成し、その上部外装板２７の先端に他方の端部板１の上縁からその外側に沿わせる止め片部２８を直角に折り曲げ可能に備え、これらを図１０に示すように展開状態で１本の帯状となるように形成し、止め片部２８と他方の端部板１とを、それぞれに固着した面ファスナーからなる止め具２９ａ，２９ｂによって着脱自在としている。
【００５６】
このように構成することにより、梱包用緩衝材Ａを予め一体化させて収容した梱包箱が構成され、被梱包物Ｃの出し入れが容易な、少ない個数の梱包が容易となる。
【００５７】
尚、底部外装板２６の上面には、側板２の下端部外側が接触する振れ止め２６aが突設されており、これによって梱包用緩衝材Ａの下端が外装容器の側部から外側に振れ出ないようにしている。
【００５８】
また、被梱包物Ｃの出し入れ時には、上部外装板２７を上側に開くことによって、端部板１，１の上端間が側板２，２の蛇腹状の開き側限度まで開くこととなり、物品収容部５に対する被梱包物Ｃの収納、取り出しが容易となる。
【００５９】
次に、本発明に係る梱包用緩衝材の第二実施例を図９〜図１０について説明する。尚、図１〜図５に示した実施例と同じ部分には同じ符号を付して重複説明を省略する。
【００６０】
この梱包用緩衝材Ｅに使用している側板２，２、仕切板３及び底板４の形状及びこれらの組み合わせ構造は前述した梱包用緩衝材Ａと同じである。尚両端部板１ａ，１ａは、その幅は第一実施例と同様に仕切板３と同幅であるが、上下の長さを、仕切板３とほぼ同長さとし、下端の高さを仕切板３の下端と同高さとしている。
【００６１】
この梱包用緩衝材Ｅでは、両端板部１，１の外側に上下方向にのみ移動可能な状態に重ね合せた端部支持板３０，３０を備えている。この各端部支持板３０は、両端板部１，１の外側に両端のみを固着した横向きの止めベルト３１，３１を使用し、その各止めベルト３１と各端板部１，１との間に上下方向にのみ移動可能挿入している。
【００６２】
この端部支持板３０，３０は、仕切板３の下端より下側に長く、且つ側板２，２よりも更に下側に長く延長した形状となっている。
【００６３】
この各端部支持板３０，３０と、これに隣接する各端板部１，１との間には弾性吊材３２，３２が介在されている。
【００６４】
この各弾性吊材３２は、上下方向に弾性伸縮する材料から構成されており、この例では、前述した側板２及び底板４と同じくポリプロピレン繊維を層状にし，加熱溶着によって結合させた硬質合成樹薄板材を使用し、これをジグザグの波板状に折り曲げ、折り曲げ部を加熱して織癖を付けた構造の合成樹脂繊維製波板を使用している。
【００６５】
この弾性吊材３２に使用している波板は、前述した側板１及び底板４より繊維密度が高く剛性が強い材料であるとともに波の高さが小さい帯板状のものを使用している。
【００６６】
この弾性吊材３２、３２は、端板部１，１を端部支持板３０，３０の下端より高い位置に吊り上げた状態に介在されているものであり、一端が端部支持板３０の上端部に固着され、他端が端板部１の下端に固着されている。
【００６７】
この例では、弾性吊材３２の一端を端部支持板３０の上端内面に固着し、他端を端板部１の下端に掛け回して該端板部１の内側に固着している。
【００６８】
このように梱包用緩衝材Ｅでは、弾性吊材３２，３２を使用することによって、端板部１，１は、端部支持板３０，３０によって下端側が浮いた状態に吊り持ちされるため、前述した梱包用緩衝材Ａによる振動吸収作用に加えて、弾性吊材３２，３２の弾性伸縮による振動吸収作用が働くこととなり、被梱包物Ｃ対する耐衝撃性が高いものとなる。
【００６９】
次に上記第二実施例の梱包用緩衝材Ｅは、図５に示した第一実施例と同様に外装容器Ｂに収容して使用できる。
【００７０】
次に上記梱包用緩衝材Ｅの使用した梱包箱の第二実施例を図１１について説明する。この例では、底板部４１とその両端に立ち上げた一対の縦板部４２ａ，４２ｂと、一方の縦板部４２ｂの上端を９０度折り曲げた配置の上板部４３と、上板部４３の先端を下向きに９０度折り曲げた止め片部４４とからなる展開状態が帯状をなす外装板４０を使用する。
【００７１】
この外装板４０の底板部４１の上に両端部支持板３０，３０の下端を載せ、両縦板部４２ａ，４２ｂを梱包用緩衝材Ｅの端部支持板３０，３０の外側に、それぞれ予め所定の位置に固着しておいた面ファスナー４５をもって着脱自在に固定し、上板部４３により梱包用緩衝材Ｅの上側を覆う。
【００７２】
この状態で止め片部４４を一方の縦板部４２ａの外側に重ね、所定の位置に固着しておいた面ファスナー４６をもって止める。
【００７３】
尚、底板部４１の上面には、側板２の下端部外側が接触する振れ止め４１aが突設されており、これによって梱包用緩衝材Ｅの下端が外装板４０の側部から外側に振れ出ないようになっている。
【符号の説明】
【００７４】
Ａ，Ｅ  梱包用緩衝材
Ｂ  外装容器
Ｃ  被梱包物
Ｄ  クッション材
ａ  頂部
１  端部板
１ａ  端部板
２  側板
３  仕切板
４  底板
５  物品収容部
６  山折り部
７  谷折り部
８  固着代
１５  底板下空間
２０  底板
２１  蓋
２５  外装板
２６  底部外装板
２６ａ  振れ止め
２７  上部外装板
２８  止め片部
２９ａ，２９ｂ  止め具
３０  端部支持板
３１  ベルト
３２  弾性吊材
４０  外装板
４１  底板部
４１ａ  振れ止め
４２ａ，４２ｂ  縦板部
４３  上板部
４４  止め片部
４５，４６  面ファスナー
【図１】
2016150779.tif 000003
【図２】
2016150779.tif 000004
【図３】
2016150779.tif 000005
【図４】
2016150779.tif 000006
【図５】
2016150779.tif 000007
【図６】
2016150779.tif 000008
【図７】
2016150779.tif 000009
【図８】
2016150779.tif 000010
【図９】
2016150779.tif 000011
【図１０】
2016150779.tif 000012
【図１１】
2016150779.tif 000013